(57)【要約】  【課題】スポーツ、長距離運転ドライバーや長時間立ち仕事に従事する作業者の腰痛の予防や腹筋・背筋の活性化、骨盤のズレ防止に効果を奏し、予防医学の観点からも極めて有用な腰部保護用ベルトを提供する。  【解決手段】伸縮性を有する帯状のベルト本体の両端部に係止具を設けた腰部保護用ベルトにおいて、前記ベルト本体が硬さの異なるゴム材を長手方向にそれぞれ隣接一体化させて形成され、ゴム材として硬さの異なるシリコーンゴムが好ましい。  【選択図】      図１
2006325904.tif 000002
【特許請求の範囲】
【請求項１】
伸縮性を有する帯状のベルト本体の両端部に係止具を設けた腰部保護用ベルトにおいて、前記ベルト本体が身体の当たる部位に応じて硬さの異なるゴム材を長手方向にそれぞれ隣接一体化させて形成されてなることを特徴とする腰部保護用ベルト。
【請求項２】
前記腰部保護用ベルトにおいて、ゴム材が硬さの異なるシリコーンゴムからなることを特徴とする請求項１記載の腰部保護用ベルト。
【請求項３】
前記腰部保護用ベルトは、圧縮成形又は熱プレス成形によって形成されてなることを特徴とする請求項１又は２記載の腰部保護用ベルト。
【発明の詳細な説明】
【技術分野】
【０００１】
本発明は、腰部に巻いて、スポーツ、長距離運転にたずさわるドライバーや長時間立ち仕事に従事する作業者の腰痛の予防等に効果を奏する腰部保護用ベルト関する。
【背景技術】
【０００２】
従来、この種のベルトは単一のゴム板材を帯状に裁断したものやスパンデックス（登録商標）糸等で編成した伸縮性を有する帯状の布が使用されていた。前者の例としては、例えば特許文献１又は２に記載のベルトがある。しかし、このものは一本のゴムバンドに幅方向に切り込みを設けたもので、腰部を均一に強く締め付けるだけで、ベルトが当たる腰部の特定個所に特定の作用を及ぼす効果はなかった。後者の布製のベルトも同様である。
【０００３】
【特許文献１】実開平５−２４０１７号公報
【特許文献２】特開２００２−３４５８６４号公報
【発明の開示】
【発明が解決しようとする課題】
【０００４】
本発明者は、鋭意研究した結果、前記効果を奏するためには単に腰部をベルトで締め付けるだけでは不十分であり、ベルトの当たる場所によって部分的に硬さを変えたベルトが前屈みになる姿勢を正し、骨盤のズレを防止するのに効果的であることを知見して本発明に想到したものであって、本発明の目的は、前記のような問題点を解消して、前屈みになる姿勢の悪さに起因する腰痛の予防や腹筋・背筋を活性化し、骨盤のズレ防止に効果を奏する腰部保護用ベルトを提供することを目的とする。
【課題を解決するための手段】
【０００５】
前記の課題を解決するために、本発明は、伸縮性を有する帯状のベルト本体の両端部に係止具を設けた腰部保護用ベルトにおいて、前記ベルト本体が身体の当たる部位に応じて硬さの異なるゴム材を長手方向にそれぞれ隣接一体化させて形成されてなることを特徴とする腰部保護用ベルトとする（請求項１）。
【０００６】
また、前記の課題を解決するために、本発明は、前記腰部保護用ベルトにおいて、ゴム材が硬さの異なるシリコーンゴムからなることを特徴とする前記の腰部保護用ベルトとすることが好ましい（請求項２）。
【０００７】
また、前記の課題を解決するために、本発明は、前記腰部保護用ベルトは、圧縮成形又は熱プレス成形によって形成されてなることを特徴とする前記の腰部保護用ベルトとすることが好ましい（請求項３）。
【発明の効果】
【０００８】
本発明に係る腰部保護用ベルトは、従来の単一の硬度からなるベルトが単なる身体を締め付けるだけであったのに比較して以下のような効果を奏する。即ち、身体の腹部、背中部、側部などのベルトが当たる部位によってベルトの硬さが異なるので、例えば、ベルトの一端部である腹部に当たる部分を硬くして腹部を支えることによって前屈みになり易い姿勢を正して腹筋と背筋を活性化し、背中部に当たる部分を硬くして骨盤のズレを予防するとともに背骨を保護し、腹部と背中部の中間の側部は中位の硬さにし、側部に連続する他端部は柔らかく形成して弾力性を持たせ、係止具を調整することによって適宜に締め付けてフィット感を向上する効果を奏する。また、ベルトは硬さの異なるゴム材が一体に形成されているので形態がシンプルであり、ベルト自体をファッションの１つとして身につけてスポーツなどを楽しむことができる効果を奏する。
【発明を実施するための最良の形態】
【０００９】
この発明を実施するための最良の形態（以下「実施の形態」と略称する）について図に基づいて説明する。しかして、本発明の腰部保護用ベルトはこの実施の形態によって何ら制限されるものではない。
【００１０】
図１は、本発明の実施の形態にかかる腰部保護用ベルトを示す平面図である。本発明の実施の形態にかかる腰部保護用ベルト１は、身体の当たる部位に応じて硬さの異なるゴム材を長手方向にそれぞれ隣接一体化させて形成されている。即ち、ベルト本体１ａの両端部がやや楕円形状をなし、その一端に腹部に当たる比較的硬さの硬い第１腹当部２が形成され、他端に硬さの柔らかい第２腹当部５が形成される。中央に背中に当たる比較的硬さの硬い背当部４が形成され、第１腹当部２と背当部４及び第２腹当部５と背当部４の中間には、硬さが第１腹当部と第２腹当部の中間の硬さからなる側部３が形成される。ベルト本体１ａの両端部の対向面にはそれぞれ係止具である面状ファスナー７が設けられており、この面状ファスナー７を係合させて腰部を適宜の強さで締め付けることができる。
【００１１】
図２は、本発明の他の実施の形態にかかる腰部保護用ベルト１を示す平面図である。この腰部保護用ベルト１は、前記の実施の形態にかかる腰部保護用ベルト１において、背当部４の背骨が当たる両脇に硬さの硬い筋状バー６を形成した以外は前記の実施の形態にかかる腰部保護用ベルト１と同様である。このように背骨を硬い筋状バー６で押さえることによって、骨盤のズレをより確実に防止することができる。
【００１２】
本発明の実施の形態にかかる腰部保護用ベルトのベルト本体１ａの材料は、特に限定されるものではないが、シリコーンゴムが耐熱性、耐寒性、耐候性、耐油性に優れ、特に圧縮永久歪み特性と反発弾性に優れていることから、長時間使用しても緩みにくく、素肌に触れてもアレルギーになりにくく、人体や環境に対しても安全であり、且つ、硬度が幅広く調整可能であるなどの点で特に好ましい。
【００１３】
シリコーンゴムの加工方法は、未架橋のシロキサンポリマーに対し所望の硬度に必要な架橋剤のジアルキルパーオキサイドを含有する配合剤を架橋温度以下の温度で混練りロールにて所定の厚みに分出した後、金型にて架橋温度以上に加熱及び加圧して架橋する。架橋剤の添加モル数はゴムの硬度と密接に関係する。シリコーンゴムの架橋剤としては、ジ−ｔ−ブチルパーオキサイド（ＤＢＰ）、ジクミルパーオキサイド（ＤＣＰ）等が好ましい。必要に応じて酸化防止剤等の加工助剤や着色剤等を添加することが好ましい。また、前記配合剤にマイナスイオンや遠赤外線を発生する花崗岩やトルマリンの粉末などを添加してもよい。
【実施例】
【００１４】
硬度５度のシリコーンゴムの配合例１を以下に例示する。
＜配合例１＞
未架橋のシロキサンポリマー            １００ｇ
ジアルキルパーオキサイド（架橋剤）    １．０・１０−３モル
着色剤                                ０．４ｇ
本実施例においては、硬度３０度及び硬度５０度の配合剤は市販の組成物を使用し、硬度１０度の配合剤は硬度３０度の配合剤に配合例１の配合剤を混合したものを使用した。以下に硬度３０度、硬度５０度及び硬度１０度の配合剤を例示する。着色剤は適宜量を添加するものとする。
＜硬度３０度の配合剤の例＞
東レダウコーニングシリコーン（株）製のＳＨ８３１Ｕ
＜硬度５０度の配合剤の例＞
東レダウコーニングシリコーン（株）製のＳＨ８５１Ｕ
＜硬度１０度の配合剤の例＞
硬度３０度の配合剤／配合例１の配合剤を２０／８０の割合で混合した。
【００１５】
＜製造例１＞
次ぎに、シリコーンゴムを用いた腰部保護用ベルト１の実施例について説明する。
前記に例示した、硬度５度、硬度１０度、硬度３０度、硬度５０度の各配合剤を準備する。配合例に示す配合剤を混練りロールにて２５〜４０℃で２０〜３０分間混練りし、約１０ｍｍ厚の帯状シートを形成する。この帯状シートを所定の大きさの短冊状にカットして、第１腹当部２に相当する硬度５０度の短冊片、側部３に相当する硬度３０度の短冊片、背当部４に相当する硬度５０度の短冊片、側部３に相当する硬度３０度の短冊片、第２腹当部５に相当する硬度１０度の短冊片の順に所定の形状の金型にそれぞれ順に並べて詰め、ゴム用圧縮成形機にて１６０〜１７０℃で８〜１０分間、加熱・加圧し、シリコーンゴムを架橋して成形し、得られたベルト本体１ａの両端部の対向面に面状ファスナー７を取り付けて所望の形状の腰部保護用ベルト１を得た。
【００１６】
＜製造例２＞
同様にして、製造例１において、背当部に相当する硬度５０度の短冊片に代えて、背当部の中央部に約２０ｍｍ−３０ｍｍの間隔を隔てて筋状バー６に相当する硬度５０度の細帯状片とその他の背当部に相当する部分に３０度の短冊片を並べる以外は製造例１と同様にして腰部保護用ベルトを１得た。
【００１７】
＜使用例＞
次ぎに、前記の製造例１の腰部保護用ベルトを腰痛に悩まされている女性に１ヶ月間使用してもらい、製造例２によって得られた腰部保護用ベルトをスポーツジムに通っている男性に１ヶ月間使用してもらい、その結果について意見を聞いたところ、前者の場合は、腰の痛みが緩和されたという結果を得た。後者の場合は、腹筋と背筋が活性化されたことにより身体全体が引き締まり体調がよくなったという報告が得られた。
【産業上の利用可能性】
【００１８】
本発明に係る腰部保護用ベルトは、腰痛の予防や腹筋・背筋の活性化、骨盤のズレ防止に効果を奏することから予防医学の観点からも極めて有用である。
【図面の簡単な説明】
【００１９】
【図１】本発明の実施例に係る腰部保護用ベルトの平面図である。
【図２】本発明の他の実施例に係る腰部保護用ベルトの平面図である。
【符号の説明】
【００２０】
１：腰部保護用ベルト、１ａ：ベルト本体、２：第１腹当部、３：側部、４：背当部、５：第２腹当部、６：筋状バー、７：面状ファスナー
【図１】
2006325904.tif 000003
【図２】
2006325904.tif 000004